(57)【要約】【課題】造形物の造形時において、造形の材料の層を高い精度でより適切に形成する。【解決手段】造形物５０を造形する造形装置１０であって、造形の材料を吐出する吐出ヘッドであるインクジェットヘッド１０２と、主走査駆動部１６と、積層方向駆動部２０と、制御部３０とを備え、制御部３０は、積層方向と直交する面内の各位置に対し、インクジェットヘッド１０２に、複数回の主走査動作を行わせ、造形の材料を吐出すべき領域に対して一回の主走査動作で単位面積あたりにインクジェットヘッド１０２から吐出する造形の材料の量を単位面積吐出量と定義した場合、各位置に対して行う複数回の主走査動作のうち、一部の回の主走査動作における単位面積吐出量を、他の回の主走査動作における単位面積吐出量よりも少なくする。【選択図】図１
2018034423.tif 000002
【特許請求の範囲】
【請求項１】
立体的な造形物を造形する造形装置であって、
造形の材料を吐出する吐出ヘッドと、
予め設定された主走査方向へ前記造形物に対して相対的に移動しつつ前記造形の材料を吐出する主走査動作を前記吐出ヘッドに行わせる主走査駆動部と、
前記造形の材料が積層される方向である積層方向へ前記造形物に対して相対的に前記吐出ヘッドを移動させる積層方向駆動部と、
前記吐出ヘッド、前記主走査駆動部、及び前記積層方向駆動部の動作を制御することにより、前記積層方向へ前記造形の材料を積層して行う造形の動作を実行させる制御部と
を備え、
前記制御部は、前記積層方向と直交する面内の各位置に対し、前記吐出ヘッドに、複数回の前記主走査動作を行わせ、
前記造形の材料を吐出すべき領域に対して一回の前記主走査動作で単位面積あたりに前記吐出ヘッドから吐出する前記造形の材料の量を単位面積吐出量と定義した場合、前記各位置に対して行う複数回の前記主走査動作のうち、一部の回の前記主走査動作における前記単位面積吐出量を、他の回の前記主走査動作における前記単位面積吐出量よりも少なくすることを特徴とする造形装置。
【請求項２】
前記造形の材料で形成される層を複数積層することで積層造形法で前記造形物を造形し、かつ、それぞれの前記層について、複数回の前記主走査動作で形成し、
少なくとも一部の前記層の形成時において、一つの前記層を形成するために行う複数回の前記主走査動作のうち、一部の回の前記主走査動作における前記単位面積吐出量を、他の回の前記主走査動作における前記単位面積吐出量よりも少なくすることを特徴とする請求項１に記載の造形装置。
【請求項３】
前記層を平坦化する平坦化手段を更に備え、
前記平坦化手段は、少なくとも一部の前記層の形成時において、前記層を形成するために行う複数回の前記主走査動作のうちの少なくとも最後の主走査動作において、前記層を平坦化することを特徴とする請求項２に記載の造形装置。
【請求項４】
少なくとも一部の前記層の形成時において、前記層を形成するために行う複数回の前記主走査動作のうちの最初の前記主走査動作における前記単位面積吐出量を、前記最後の主走査動作における前記単位面積吐出量よりも少なくすることを特徴とする請求項３に記載の造形装置。
【請求項５】
少なくとも一部の前記層の形成時において、それぞれの前記層を形成するために行う複数回の前記主走査動作のうちの前記最後の主走査動作における前記単位面積吐出量について、他の回の前記主走査動作における前記単位面積吐出量よりも多くすることを特徴とする請求項３又は４に記載の造形装置。
【請求項６】
前記それぞれの前記層を形成するために行う前記複数回の主走査動作のうち、前記最後の主走査動作以外の全ての回の前記主走査動作について、前記単位面積吐出量を同じにすることを特徴とする請求項５に記載の造形装置。
【請求項７】
前記それぞれの前記層を形成するために行う前記複数回の主走査動作について、先に行う前記主走査動作における前記単位面積吐出量を、後に行う前記主走査動作における前記単位面積吐出よりも少なくすることを特徴とする請求項５に記載の造形装置。
【請求項８】
立体的な造形物を造形する造形方法であって、
造形の材料を吐出する吐出ヘッドに、
予め設定された主走査方向へ前記造形物に対して相対的に移動しつつ前記造形の材料を吐出する主走査動作と、
前記造形の材料が積層される方向である積層方向へ前記造形物に対して相対的に移動する動作と
を行わせることで、前記積層方向へ前記造形の材料を積層して行う造形の動作を実行させ、
かつ、前記積層方向と直交する面内の各位置に対し、前記吐出ヘッドに、複数回の前記主走査動作を行わせ、
前記造形の材料を吐出すべき領域に対して一回の前記主走査動作で単位面積あたりに前記吐出ヘッドから吐出する前記造形の材料の量を単位面積吐出量と定義した場合、前記各位置に対して行う複数回の前記主走査動作のうち、一部の回の前記主走査動作における前記単位面積吐出量を、他の回の前記主走査動作における前記単位面積吐出量よりも少なくすることを特徴とする造形方法。
【発明の詳細な説明】
【技術分野】
【０００１】
本発明は、造形装置及び造形方法に関する。
【背景技術】
【０００２】
従来、インクジェットヘッド等の吐出ヘッドを用いて造形物を造形する造形装置（３Ｄプリンタ）が知られている（例えば、特許文献１参照。）。このような造形装置においては、例えば、造形の材料としてインクを用い、インクジェットヘッドにより形成するインクの層を複数層重ねることにより、積層造形法で造形物を造形する。
【先行技術文献】
【特許文献】
【０００３】
【特許文献１】特開２０１５−７１２８２号公報
【発明の概要】
【発明が解決しようとする課題】
【０００４】
積層造形法で造形物を造形する場合、積層する各層について、高い精度で適切に形成すること必要である。そのため、従来、造形の材料で形成する層について、より高い精度で形成可能な構成が望まれている。そこで、本発明は、上記の課題を解決できる造形装置及び造形方法を提供することを目的とする。
【課題を解決するための手段】
【０００５】
本願の発明者は、造形の材料で形成する層に関し、状態の整った層を高い精度で適切に形成する方法について、鋭意研究を行った。この場合、状態の整った層とは、例えば、乱れの少ない平面状の層のことである。また、層における乱れとは、例えば、層を構成する造形の材料のドットの状態における乱れのことである。そして、この鋭意研究において、先ず、層の状態が乱れる原因の検討を行った。また、その結果、層を構成する造形の材料のドットの間隔が小さくなると、層の状態に乱れが生じやすいことを見出した。
【０００６】
より具体的に、例えば、造形の材料としてインクを用いる場合、造形物の被造形面にインクのドットを並べて形成することにより、インクの層を形成する。また、この場合、液体の状態でインクを吐出して、被造形面への着弾後に、インクを硬化させる。そして、この場合において、インクのドットの間隔が小さいと、ドット間の接触が生じやすくなる。また、ドット間の接触が生じると、液体状態のインクのドットがつながり、インクのドットの連結が生じる場合がある。また、硬化前のインクが意図しない方向に流れる場合もある。そして、このようなドットの連結等が生じると、硬化後のインクの層において、状態の乱れが生じることになる。より具体的には、例えば、インクのドットの連結により、インクの層の表面に意図しない溝状の部分等が発生すること等が考えられる。
【０００７】
また、ドットの間隔が小さい場合、隣接するドットの位置のわずかなずれが硬化後の状態に影響しやすくなる。より具体的には、例えば、インクジェットヘッドを用いて造形の材料であるインクの吐出を行う場合、ドットの間隔が小さいと、インクジェットヘッドの吐出特性おけるバラツキ（吐出特性の癖）の影響が生じやくなる。また、ドットの間隔が小さい場合、高密度でインクの吐出を行うため、吐出から着弾までの飛翔中において、近接して飛翔するインク（インク滴）の影響を受けて、飛行曲がりが生じやすくなる場合もある。また、その結果、着弾位置のずれが生じ、硬化後のインクの層において、状態の乱れが生じることも考えられる。
【０００８】
ここで、例えば同時に形成するインクのドットの間隔を大きくすれば、ドット間の接触等を生じ難くできる。そのため、この場合、造形の材料の層をより高い精度で形成できると考えられる。しかし、この場合、単位時間に単位面積に対して吐出する造形の材料が少なくなるため、造形に要する時間が大きく増大することになる。また、単位時間に単位面積に対して吐出する造形の材料を単に少なくした場合、例えば層を平坦化する動作に支障が生じるおそれもある。
【０００９】
これに対し、本願の発明者は、更なる鋭意研究により、同時に形成するインクのドットの間隔を一律に大きくするのではなく、単位時間に単位面積に対して吐出する造形の材料の量を造形中のタイミングに合わせて変化させることで、造形中のタイミングによって同時に形成するインクのドットの間隔を変化させることを考えた。また、より具体的に、そのための構成として、造形の材料を吐出する吐出ヘッド（インクジェットヘッド等）に主走査動作（スキャン動作）を行わせる造形装置において、一部の回の主走査動作における単位面積吐出量を、他の回の主走査動作における単位面積吐出量よりも少なくすることを考えた。この場合、単位面積吐出量とは、例えば、造形の材料を吐出すべき領域に対して一回の主走査動作で単位面積あたりに吐出ヘッドから吐出する造形の材料の量のことである。
【００１０】
このように構成した場合、例えば、一部の回の主走査動作において単位面積吐出量を少なくすることにより、層の状態に乱れが生じ難い状態で造形の材料を吐出できる。また、これにより、造形物の被造形面の状態を整えることができる。また、この場合、例えば、被造形面の状態が整えられているタイミングで他の回の主走査動作を行うことで、単位面積吐出量を多くした場合にも、層の状態の乱れを生じ難くできる。また、この場合、単位面積吐出量を多くすることにより、造形の速度が大きく低下することを適切に防ぐことができる。また、例えば層の平坦化を行う場合には、例えば平坦化を行う主走査動作時の単位面積吐出量を多くすることで、全ての回の主走査動作で単位面積吐出量を少なくする場合と比べ、より適切に平坦化を行うことが可能になる。そのため、このように構成すれば、例えば、造形の材料の層を高い精度でより適切に形成できる。
【００１１】
また、本願の発明者は、更なる鋭意研究により、このような効果を得るために必要な特徴を見出し、本発明に至った。上記の課題を解決するために、本発明は、立体的な造形物を造形する造形装置であって、造形の材料を吐出する吐出ヘッドと、予め設定された主走査方向へ前記造形物に対して相対的に移動しつつ前記造形の材料を吐出する主走査動作を前記吐出ヘッドに行わせる主走査駆動部と、前記造形の材料が積層される方向である積層方向へ前記造形物に対して相対的に前記吐出ヘッドを移動させる積層方向駆動部と、前記吐出ヘッド、前記主走査駆動部、及び前記積層方向駆動部の動作を制御することにより、前記積層方向へ前記造形の材料を積層して行う造形の動作を実行させる制御部とを備え、前記制御部は、前記積層方向と直交する面内の各位置に対し、前記吐出ヘッドに、複数回の前記主走査動作を行わせ、前記造形の材料を吐出すべき領域に対して一回の前記主走査動作で単位面積あたりに前記吐出ヘッドから吐出する前記造形の材料の量を単位面積吐出量と定義した場合、前記各位置に対して行う複数回の前記主走査動作のうち、一部の回の前記主走査動作における前記単位面積吐出量を、他の回の前記主走査動作における前記単位面積吐出量よりも少なくすることを特徴とする。
【００１２】
このように構成した場合、上記のように、例えば、一部の回の主走査動作において単位面積吐出量を少なくすることにより、造形物の被造形面の状態を整えることができる。また、例えば、被造形面の状態が整えられているタイミングで他の回の主走査動作を行うことで、その回の主走査動作時の単位面積吐出量を多くした場合にも、層の状態の乱れを生じ難くできる。そのため、このように構成すれば、例えば、造形の材料の層を高い精度でより適切に形成できる。
【００１３】
ここで、この構成において、造形装置は、例えば、積層造形法で造形物を造形する。また、積層造形法において積層するそれぞれの層について、マルチパス方式で形成する。この場合、マルチパス方式で層を形成するとは、例えば、それぞれの層について、複数回の主走査動作で形成することである。また、層を複数回の主走査動作で形成するとは、例えば、一つの層を形成する動作において、造形物の被造形面の各位置に対し、複数回の主走査動作を行うことである。
【００１４】
また、この場合、一つの層を形成するために行う複数回の主走査動作のうち、一部の回の主走査動作における単位面積吐出量を、他の回の主走査動作における単位面積吐出量よりも少なくすることが考えられる。このように構成すれば、例えば、それぞれの層について、状態の乱れを抑えて、高い精度でより適切に形成できる。
【００１５】
また、造形装置は、造形の材料の層を平坦化する平坦化手段を更に備えることが好ましい。この場合、平坦化手段は、例えば、それぞれの層を形成するために行う複数回の主走査動作のうちの少なくとも最後の主走査動作において、層の平坦化を行う。また、平坦化手段は、例えば、平坦化を行う主走査動作中に吐出された材料の一部をかき取ることにより、層の平坦化を行う。
【００１６】
また、この場合、例えば、平坦化を行う主走査動作における単位面積吐出量を他の回の主走査動作時における単位面積吐出量よりも多くすることで、平坦化を行う主走査動作における単位面積吐出量を十分に多くすることが好ましい。このように構成すれば、例えば、平坦化の動作をより適切に行うことができる。また、この場合、平坦化を行った直後に行う主走査動作では、単位面積吐出量を少なくすることが好ましい。このように構成すれば、例えば、平坦化されている被造形面に対し、より高い精度で造形の材料を吐出できる。また、これにより、例えば、その後に行う主走査動作の下地となる領域をより高い精度で適切に形成できる。
【００１７】
また、より具体的に、この場合、例えば、それぞれの層を形成するために行う複数回の主走査動作のうちの最初の主走査動作における単位面積吐出量を、最後の主走査動作における単位面積吐出量よりも少なくすることが考えられる。また、この場合、最後の主走査動作における単位面積吐出量について、他のいずれの回の主走査動作における単位面積吐出量よりも多くすることが考えられる。また、この場合、最後の主走査動作以外の全ての回の主走査動作について、単位面積吐出量を同じにすることが考えられる。また、例えば、それぞれの層を形成するために行う複数回の主走査動作について、主走査動作毎に単位面積吐出量を異ならせてもよい。この場合、例えば、先に行う主走査動作における単位面積吐出量を、後に行う主走査動作における単位面積吐出よりも少なくすることが考えられる。
【００１８】
また、本発明の構成として、上記と同様の特徴を有する造形方法等を用いることも考えられる。この場合も、例えば、上記と同様の効果を得ることができる。
【発明の効果】
【００１９】
本発明によれば、例えば、造形物の造形時において、造形の材料の層を高い精度でより適切に形成できる。
【図面の簡単な説明】
【００２０】
【図１】本発明の一実施形態に係る造形装置１０の一例を示す図である。図１（ａ）は、造形装置１０の要部の構成の一例を示す。図１（ｂ）は、ヘッド部１２の構成の一例を示す。図１（ｃ）は、造形物５０の構成の一例をサポート層５２と共に示す。
【図２】本例においてマルチパス方式でインクの層を形成する動作について説明をする図である。図２（ａ）は、各回のパスに対応してインクジェットヘッド１０２に設定される領域の一例を示す。図２（ｂ）は、マルチパス方式で一つのインクの層を形成する動作を示す。図２（ｃ）は、インクの層を平坦化する様子を示す。
【図３】各回のパスで吐出するインクの量の設定について説明をする図である。図３（ａ）は、各回のパスで吐出するインクの量の設定の一例を示す。図３（ｂ）は、設定Ｂでの設定値をインクジェットヘッド１０２における領域２０２ａ〜ｄと対応付けて示す。
【図４】小ピッチマルチパス方式の動作の一例を示す図である。
【発明を実施するための形態】
【００２１】
以下、本発明に係る実施形態を、図面を参照しながら説明する。図１は、本発明の一実施形態に係る造形装置１０の一例を示す。図１（ａ）は、造形装置１０の要部の構成の一例を示す。
【００２２】
尚、以下に説明をする点を除き、造形装置１０は、公知の造形装置と同一又は同様の構成を有してよい。より具体的に、以下の説明をする点を除き、造形装置１０は、例えば、インクジェットヘッドを用いて造形物５０の材料となる液滴を吐出することで造形を行う公知の造形装置と同一又は同様の構成を有してよい。また、造形装置１０は、図示した構成以外にも、例えば、造形物５０の造形や着色等に必要な各種構成を更に備えてよい。
【００２３】
本例において、造形装置１０は、積層造形法により造形物５０を造形する装置である。この場合、積層造形法とは、例えば、造形の材料で形成される層を複数積層することで造形物５０を造形する方法である。造形物５０とは、例えば、立体的な三次元構造物のことである。また、本例において、造形装置１０は、ヘッド部１２、造形台１４、主走査駆動部１６、副走査駆動部１８、積層方向駆動部２０、及び制御部３０を備える。
【００２４】
ヘッド部１２は、造形物５０の材料となるインクの液滴（インク滴）を吐出する部分であり、所定の条件に応じて硬化するインクを吐出し、硬化させることにより、造形物５０を構成する各層を重ねて形成する。また、本例では、インクとして、紫外線の照射により硬化する紫外線硬化型インクを用いる。この場合、インクとは、例えば、インクジェットヘッドから吐出する液体のことである。インクジェットヘッドとは、例えば、インクジェット方式でインク滴を吐出する吐出ヘッドのことである。
【００２５】
また、本例において、ヘッド部１２は、少なくとも、複数のインクジェットヘッドと、紫外線光源とを有する。また、ヘッド部１２は、造形物５０の材料に加え、サポート層５２の材料を更に吐出する。この場合、サポート層５２とは、例えば、造形中の造形物５０の外周を囲むことで造形物５０を支持する積層構造物のことである。サポート層５２は、造形物５０の造形時において、必要に応じて形成され、造形の完了後に除去される。また、ヘッド部１２のより具体的な構成については、後に詳しく説明をする。
【００２６】
造形台１４は、造形中の造形物５０を支持する台状部材であり、ヘッド部１２におけるインクジェットヘッドと対向する位置に配設され、造形中の造形物５０を上面に載置する。また、本例において、造形台１４は、少なくとも上面が積層方向へ移動可能な構成を有しており、積層方向駆動部２０に駆動されることにより、造形物５０の造形の進行に合わせて、少なくとも上面が移動する。この場合、積層方向とは、例えば、積層造形法において造形の材料が積層される方向のことである。また、より具体的に、本例において、積層方向は、造形装置１０において予め設定される主走査方向（図中のＹ方向）及び副走査方向（図中のＸ方向）と直交する方向（図中のＺ方向）である。
【００２７】
主走査駆動部１６は、ヘッド部１２に主走査動作（Ｙ走査）を行わせる駆動部である。この場合、ヘッド部１２に主走査動作を行わせるとは、例えば、ヘッド部１２が有するインクジェットヘッドに主走査動作を行わせることである。また、主走査動作とは、例えば、造形の材料であるインクを主走査方向へ移動しつつ吐出する動作のことである。
【００２８】
また、本例において、主走査駆動部１６は、主走査方向における造形台１４の位置を固定して、ヘッド部１２の側を移動させることにより、ヘッド部１２に主走査動作を行わせる。また、主走査動作におけるヘッド部１２の移動は、造形物５０に対する相対的な移動であってもよい。そのため、造形装置１０の構成の変形例においては、例えば、ヘッド部１２の位置を固定して、例えば造形台１４を移動させることにより、造形物５０の側を移動させてもよい。
【００２９】
また、本例の主走査動作時において、主走査駆動部１６は、ヘッド部１２における紫外線光源の駆動を更に行う。より具体的に、主走査駆動部１６は、例えば、主走査動作時に紫外線光源を点灯させることにより、造形物５０の被造形面に着弾したインクを硬化させる。造形物５０の被造形面とは、例えば、ヘッド部１２により次のインクの層が形成される面のことである。
【００３０】
副走査駆動部１８は、ヘッド部１２に副走査動作（Ｘ走査）を行わせる駆動部である。この場合、ヘッド部１２に副走査動作を行わせるとは、例えば、ヘッド部１２が有するインクジェットヘッドに副走査動作を行わせることである。副走査動作とは、例えば、主走査方向と直交する副走査方向へ造形台１４に対して相対的に移動する動作のことである。また、より具体的に、副走査動作は、例えば、予め設定された送り量だけ副走査方向へ造形台１４に対して相対的に移動する動作である。
【００３１】
また、本例において、副走査駆動部１８は、主走査動作の合間に、ヘッド部１２に副走査動作を行わせる。この場合、副走査駆動部１８は、例えば、副走査方向におけるヘッド部１２の位置を固定して、造形台１４を移動させることにより、ヘッド部１２に副走査動作を行わせる。また、副走査駆動部１８は、副走査方向における造形台１４の位置を固定して、ヘッド部１２を移動させることにより、ヘッド部１２に副走査動作を行わせてもよい。
【００３２】
積層方向駆動部２０は、積層方向（Ｚ方向）へヘッド部１２又は造形台１４の少なくとも一方を移動させる駆動部である。この場合、積層方向へヘッド部１２を移動させるとは、例えば、ヘッド部１２における少なくともインクジェットヘッドを積層方向へ移動させることである。また、積層方向へ造形台１４を移動させるとは、例えば、造形台１４における少なくとも上面の位置を移動させることである。また、積層方向駆動部２０は、積層方向へヘッド部１２又は造形台１４の少なくとも一方を移動させることにより、Ｚ方向への走査（Ｚ走査）をインクジェットヘッドに行わせ、積層方向において、造形中の造形物５０に対するインクジェットヘッドの相対位置を調整する。また、より具体的に、本例において、積層方向駆動部２０は、例えば、積層方向におけるヘッド部１２の位置を固定して、造形台１４を移動させる。また、積層方向駆動部２０は、積層方向における造形台１４の位置を固定して、ヘッド部１２を移動させてもよい。
【００３３】
制御部３０は、例えば造形装置１０のＣＰＵであり、造形装置１０の各部を制御することにより、造形装置１０に造形物５０の造形の動作を実行させる。この場合、造形物５０の造形の動作とは、例えば、積層方向へ造形の材料を積層して行う造形の動作のことである。また、この場合、制御部３０は、例えば造形しようとする造形物５０の形状情報や、カラー画像情報等に基づき、造形装置１０の各部を制御する。本例によれば、造形物５０を適切に造形できる。
【００３４】
続いて、ヘッド部１２のより具体的な構成について、説明をする。図１（ｂ）は、ヘッド部１２の構成の一例を示す。本例において、ヘッド部１２は、複数のインクジェットヘッドを有する。それぞれのインクジェットヘッドは、造形台１４と対向する面に、所定のノズル列方向へ複数のノズルが並ぶノズル列を有する。また、造形装置１０は、ヘッド部１２における複数のノズル列から材料を吐出することにより、造形物５０を造形する。
【００３５】
また、より具体的に、本例において、ノズル列方向は、副走査方向と平行な方向である。また、ヘッド部１２は、複数のインクジェットヘッド、複数の紫外線光源１０４、及び平坦化ローラ１０６を有する。また、複数のインクジェットヘッドとして、図１（ｂ）に示すように、インクジェットヘッド１０２ｓ、インクジェットヘッド１０２ｍｏ、インクジェットヘッド１０２ｗ、インクジェットヘッド１０２ｙ、インクジェットヘッド１０２ｍ、インクジェットヘッド１０２ｃ、インクジェットヘッド１０２ｋ、及びインクジェットヘッド１０２ｔを有する。これらの複数のインクジェットヘッドは、例えば、副走査方向における位置を揃えて、主走査方向へ並べて配設される。
【００３６】
インクジェットヘッド１０２ｓは、サポート層５２の材料を吐出するインクジェットヘッドである。本例において、サポート層５２の材料としては、造形物５０の材料よりも紫外線による硬化度が弱い紫外線硬化型インクを用いる。これにより、インクジェットヘッド１０２ｓは、サポート層５２の材料となる紫外線硬化型インクを、ノズル列における各ノズルから吐出する。サポート層５２の材料としては、造形物５０の造形後に水で溶解可能な水溶性の材料を用いることが好ましい。また、サポート層５２の材料としては、例えば、サポート層用の公知の材料を好適に用いることができる。
【００３７】
インクジェットヘッド１０２ｍｏは、造形材インク（Ｍｏインク）を吐出するインクジェットヘッドであり、造形材インクを、ノズル列における各ノズルから吐出する。この場合、造形材インクとは、例えば、造形物５０の内部（内部領域）の造形に用いる造形専用のインクである。
【００３８】
尚、造形物５０の内部については、造形材インクに限らず、他の色のインクを更に用いて形成してもよい。また、例えば、造形材インクを用いずに、他の色のインク（例えば白色のインク等）のみで造形物５０の内部を形成することも考えられる。この場合、ヘッド部１２において、インクジェットヘッド１０２ｍｏを省略してもよい。
【００３９】
インクジェットヘッド１０２ｗは、白色（Ｗ）のインクを吐出するインクジェットヘッドであり、白色のインクを、ノズル列における各ノズルから吐出する。また、本例において、白色のインクは、光反射性のインクの一例であり、例えば造形物５０において光を反射する性質の領域（光反射領域）を形成する場合に用いられる。この光反射領域は、例えば、造形物５０表面に対して減法混色によるカラー表現での着色を行う場合に、造形物５０の外部から入射する光を反射する。
【００４０】
インクジェットヘッド１０２ｙ、インクジェットヘッド１０２ｍ、インクジェットヘッド１０２ｃ、インクジェットヘッド１０２ｋ（以下、インクジェットヘッド１０２ｙ〜ｋという）は、着色された造形物５０の造形時に用いる着色用のインクジェットヘッドであり、着色に用いる複数色のインク（加飾インク）のそれぞれのインクを、ノズル列における各ノズルからそれぞれ吐出する。より具体的に、インクジェットヘッド１０２ｙは、イエロー色（Ｙ色）のインクを吐出する。インクジェットヘッド１０２ｍは、マゼンタ色（Ｍ色）のインクを吐出する。インクジェットヘッド１０２ｃは、シアン色（Ｃ色）のインクを吐出する。また、インクジェットヘッド１０２ｋは、ブラック色（Ｋ色）のインクを吐出する。また、この場合、ＹＭＣＫの各色は、カラー表現に用いるプロセスカラーの一例である。また、インクジェットヘッド１０２ｔは、クリアインクを吐出するインクジェットヘッドであり、クリアインクを、ノズル列における各ノズルから吐出する。クリアインクとは、例えば、無色の透明色（Ｔ）であるクリア色のインクのことである。
【００４１】
複数の紫外線光源１０４は、インクを硬化させるための光源（ＵＶ光源）であり、紫外線硬化型インクを硬化させる紫外線を発生する。また、本例において、複数の紫外線光源１０４のそれぞれは、間にインクジェットヘッドの並びを挟むように、ヘッド部１２における主走査方向の一端側及び他端側のそれぞれに配設される。紫外線光源１０４としては、例えば、ＵＶＬＥＤ（紫外ＬＥＤ）等を好適に用いることができる。また、紫外線光源１０４として、メタルハライドランプや水銀ランプ等を用いることも考えられる。
【００４２】
平坦化ローラ１０６は、造形物５０の造形中に形成されるインクの層を平坦化する平坦化手段であり、例えば主走査動作時にインクの層の表面と接触して、硬化前のインクの一部を除去することにより、インクの層を平坦化する。この場合、硬化前のインクの一部を除去するとは、例えば、平坦化ローラ１０６の回転により硬化前のインクの一部をかき取ることである。
【００４３】
以上のような構成のヘッド部１２を用いることにより、造形物５０を構成するインクの層を適切に形成できる。また、複数のインクの層を重ねて形成することにより、造形物５０を適切に造形できる。
【００４４】
尚、ヘッド部１２の具体的な構成については、上記において説明をした構成に限らず、様々に変形することもできる。例えば、ヘッド部１２は、着色用のインクジェットヘッドとして、インクジェットヘッド１０２ｙ〜ｋに加え、各色の淡色、Ｒ（赤）Ｇ（緑）Ｂ（青）やオレンジ等の色用のインクジェットヘッド等を更に有してもよい。また、ヘッド部１２における複数のインクジェットヘッドの並べ方についても、様々に変形可能である。例えば、一部のインクジェットヘッドについて、他のインクジェットヘッドと副走査方向における位置をずらしてもよい。
【００４５】
また、図中に示すように、本例において、ヘッド部１２は、インクジェットヘッド１０２ｓ〜ｔの並びの一方側のみに平坦化ローラ１０６を有する。この場合、平坦化ローラ１０６は、例えば、インクジェットヘッド１０２ｓ〜ｔよりも平坦化ローラ１０６が後方側になって移動する主走査動作時のみに、インクの層を平坦化する。また、より具体的に、本例において、主走査駆動部１６は、ヘッド部１２に、往復の主走査動作を行わせる。この場合、往復の主走査動作を行わせるとは、主走査方向における一方の向きにヘッド部１２が移動する往路の主走査動作と、他方の向きへヘッド部１２が移動する復路の主走査動作とをヘッド部１２に行わせることである。また、この場合、平坦化ローラ１０６は、往路及び復路の一方の主走査動作時に、インクの層を平坦化する。また、この場合、平坦化ローラ１０６は、例えば、平坦化を行う主走査動作中に吐出されたインクの一部をかき取ることにより、層の平坦化を行う。また、この場合、積層されるインクの高さに応じて、一部の回の主走査動作時にのみインクの層を平坦化してもよい。
【００４６】
続いて、本例において造形物５０を造形する動作について、更に詳しく説明をする。図１（ｃ）は、本例において造形装置１０が造形する造形物５０の構成の一例をサポート層５２と共に示す図である。
【００４７】
上記においても説明をしたように、本例において、造形装置１０は、造形の材料であるインクで形成されるインクの層６０を複数層積層することにより、積層造形法で造形物５０を造形する。また、この場合、ヘッド部１２における複数のインクジェットヘッド１０２ｓ〜ｔを用いて、造形物５０及びサポート層５２の各領域に対応する部分を含む層６０を形成する。
【００４８】
尚、図１（ｃ）においては、図示の便宜上、造形物５０及びサポート層５２を構成する層６０の層数を少なくして、造形物５０及びサポート層５２の構成を模式的に示している。実際の構成において、造形装置１０は、例えば、厚さが１００μｍ以下程度の薄い層６０を多数重ねて造形物５０及びサポート層５２を形成する。この場合、層６０の厚さとは、積層方向における厚さのことである。また、より具体的に、それぞれの層６０の厚さは、例えば１０〜１００μｍ程度、好ましくは、２０〜５０μｍ程度である。
【００４９】
また、この場合、層６０とは、造形物５０の断面を構成する部分であり、例えば、造形しようとする造形物５０の断面形状を示すスライスデータに基づいて形成される。また、この場合、一つの層６０は、一つのスライスデータに基づいて形成される。また、それぞれの層６０は、互いに異なるスライスデータに基づいて形成される。
【００５０】
また、層６０の形成時には、主走査方向及び副走査方向と平行な面内（ＸＹ面内）に造形の解像度に応じて設定されるインクの吐出位置へヘッド部１２における複数のインクジェットヘッド１０２ｓ〜ｔからインクを吐出する。また、この場合、層６０について、例えば、造形物５０の断面における全ての吐出位置へ所定量のインクを吐出することで形成される部分と考えることもできる。全ての吐出位置へ所定量のインクを吐出するとは、例えば、設定された造形の解像度に対応する全ての点の位置へインクを吐出することである。また、この場合、必ずしも全ての吐出位置へインクを吐出しなくても、全ての吐出位置のうちの予め設定された割合の位置へインクを吐出した状態について、層６０が形成された状態と考えてもよい。この場合、予め設定された割合とは、例えば、層６０を形成する領域を埋めるだけの十分な量のインクを吐出できる割合のことである。
【００５１】
また、本例において、造形装置１０は、それぞれの層６０を、マルチパス方式で形成する。この場合、マルチパス方式で層６０を形成するとは、例えば、それぞれの層６０について、複数回の主走査動作で形成することである。また、層６０を複数回の主走査動作で形成するとは、例えば、一つの層６０を形成する動作において、造形物５０の被造形面の各位置に対し、複数回の主走査動作を行うことである。この場合、制御部３０は、例えば、積層方向と直交する面内の各位置に対し、ヘッド部１２に、複数回の主走査動作を行わせる。
【００５２】
図２は、本例においてマルチパス方式でインクの層を形成する動作について説明をする図である。図２（ａ）は、各回のパスに対応してインクジェットヘッド１０２に設定される領域の一例を示す図である。この場合、各回のパスに対応してインクジェットヘッド１０２に設定される領域とは、各回のパスでインクを吐出するノズルが並ぶ領域のことである。
【００５３】
また、図２（ａ）においては、パス数を４にした場合（４パスの場合）について、複数の領域２０２ａ〜ｄを示している。複数の領域２０２ａ〜ｄのそれぞれは、１〜４回目のそれぞれのパスに対応する領域である。また、本例において、複数の領域２０２ａ〜ｄのそれぞれは、副走査方向における幅が等しい領域であり、同数のノズルをそれぞれ含む。
【００５４】
尚、図２において、インクジェットヘッド１０２は、ヘッド部１２（図１参照）におけるインクジェットヘッド１０２ｓ〜ｔを代表して示したインクジェットヘッドである。この場合、インクジェットヘッド１０２ｓ〜ｔのそれぞれにおいては、図示したインクジェットヘッド１０２と同様に、複数の領域２０２ａ〜ｄが設定される。
【００５５】
図２（ｂ）は、マルチパス方式で一つのインクの層を形成する動作を示す図であり、矢印４０２で示した領域に対して行う１〜４回目のパス（１〜４パス目）のそれぞれに対応する主走査動作時について、副走査方向におけるインクジェットヘッド１０２の位置の例を示す。この場合、矢印４０２で示した領域とは、例えば、矢印４０２で示す位置と副走査方向における位置が重なる領域のことである。
【００５６】
図中に示すようなマルチパス方式でインクの層を形成する場合、造形装置１０における副走査駆動部１８（図１参照）は、例えば、副走査動作時の送り量をパス数に応じた幅に設定して、ヘッド部１２に副走査動作を行わせる。この場合、送り量について、パス数に応じた幅とは、例えば、インクジェットヘッド１０２のノズル列長をパス数で除した距離に等しい幅のことである。また、ノズル列長とは、例えば、副走査方向におけるノズル列の長さである。ノズル列長は、副走査方向における実質的なノズル列の長さであってよい。また、より具体的に、図示した場合において、送り量は、ノズル列長の１／４になっている。また、この場合、副走査駆動部１８は、各回の主走査動作の合間に、パス幅分の送り量での副走査動作をヘッド部１２に行わせる。また、これにより、造形中の造形物５０の各位置と対向するインクジェットヘッド１０２における領域を順次変更する。
【００５７】
また、上記においても説明をしたように、本例において、主走査駆動部１６（図１参照）は、ヘッド部１２に、往復の主走査動作を行わせる。そして、平坦化ローラ１０６（図１参照）は、往路及び復路の一方の主走査動作時に、インクの層を平坦化する。また、より具体的に、図２（ｂ）に図示した場合においては、１パス目及び３パス目が、往路の主走査動作になる。また、２パス目及び４パス目が、復路の主走査動作になる。そして、平坦化ローラ１０６は、復路の主走査動作時に、インクの層を平坦化する。
【００５８】
但し、実際の造形の動作時において、平坦化ローラ１０６は、インクの層を構成するインクと接触した場合にのみ、インクの層を平坦化する。また、設計上、積層方向駆動部２０（図１参照）により行う積層方向への移動量については、例えば、それぞれのインクの層の形成時に行う最後のパスで吐出したインクのみが平坦化ローラ１０６と接触するように設定する。
【００５９】
また、より具体的に、積層方向駆動部２０は、例えば、一つのインクの層が形成される毎に、一つの層の厚さ分だけ、インクジェットヘッドと造形台１４（図１参照）との間の距離を大きくする。そのため、それぞれの層の形成時において、初期のパスで吐出したインクは、通常、平坦化ローラ１０６と接触しない。また、この場合、積層方向への移動量について、パス数分の主走査動作を行った時点では層の厚さが十分に厚くなり、インクと平坦化ローラ１０６とが接触するようにする。また、これにより、平坦化ローラ１０６は、それぞれの層を形成するために行う複数回のパス（主走査動作）のうちの少なくとも最後のパスにおいて、層を平坦化する。また、本例においては、一つのインクの層を形成する毎に行う積層方向への移動量について、設計上、最後のパスでのみインクが平坦化ローラ１０６と接触するように設定する。そのため、例えば図中に示した動作の場合、設計上、４パス目に吐出したインクのみが平坦化ローラ１０６と接触する。
【００６０】
図２（ｃ）は、インクの層を平坦化する様子を示す図であり、各回のパスで近接した位置に吐出されるインクのドット３０２の重なり方と、平坦化を行う高さ（平坦化ライン）の一例とを模式的に示す。この場合、平坦化ラインとは、例えば、平坦化ローラ１０６の下端の位置である。また、平坦化ローラ１０６の下端とは、例えば、平坦化ローラ１０６において最も造形台１４に近い部分のことである。
【００６１】
造形物の造形時において、インクジェットヘッドの各ノズルから吐出するインクの量が少ないと、積層に要する時間が増大することになる。また、その結果、造形物の造形速度が大きく低下することになる。そのため、造形物の造形時には、通常、１回の吐出でノズルから吐出するインクの量をある程度以上に大きくする。より具体的には、例えば、積層方向と直交する面内において着弾後に形成されるインクのドット３０２の直径（ドットゲイン）が造形の解像度に応じた間隔（ドットピッチ）よりも大きくなるように、１回の吐出でノズルから吐出するインクの量を設定することが考えられる。そして、この場合、ドットゲインが大きくなることで、他の回のパスで近接した位置に形成されるドット３０２との間で、重なり合いが生じることになる。そのため、この場合、各回のパスで形成されるインクのドットは、例えば、図中に示すように、順次重なるように形成される。
【００６２】
また、この場合、平坦化ラインの設定は、例えば、形成しようとするインクの層の設計上の厚さに合わせて行うことになる。より具体的に、平坦化後のインクの層の厚さを所定の厚さｄにしようとする場合、下の層の形成後、積層方向駆動部２０により、インクジェットヘッドと造形台１４との間の距離がｄだけ大きくなるように、造形台１４に対して相対的にヘッド部１２を移動させる。また、これにより、ヘッド部１２における平坦化ローラ１０６の下端が通過する高さについて、下の層から距離ｄだけ離れた位置に設定する。このように構成すれば、例えば図中に示すように、平坦化ラインを適切に設定できる。
【００６３】
また、この場合、形成中のインクの層の高さは、各回のパスでインクを吐出する毎に、徐々に高くなる。そして、この場合、平坦化後のインクの層の厚さｄについては、設計上、仮に平坦化を行わないとした場合に各回のパスで達するインクの高さを想定して、最後の直前のパスまでに達する想定高さよりも高く、かつ、最後のパスの完了後に達する想定高さよりも低くなるように設定する。このように構成すれば、例えば、設計上、最後のパスで吐出したインクのみを平坦化ローラ１０６と接触させることができる。そのため、このように構成すれば、少なくとも設計上、インクの層の平坦化を適切に行うことができる。
【００６４】
しかし、実際の造形時において、それぞれのインクのドットの位置を局所的に見た場合、インクの層の各位置の高さは、必ずしも設計上の高さに一致しない。そのため、従来の方法で造形を行う場合、例えば最後の直前のパスまでを行った段階で、インクの層の一部において局所的に、インクの層の高さが平坦化ラインに達する場合もある。また、特に、高い解像度で造形を行う場合、高い密度でインクのドットを形成することになるため、このような高さのずれが生じやすくなると考えられる。
【００６５】
また、マルチパス方式で造形を行う場合、通常、各回のパスで吐出されたインクのドットについて、主走査動作中に紫外線を照射して、硬化させる。そのため、このような高さのずれが生じた場合、平坦化を行う最後のパスにおいて、硬化済のインクのドットと平坦化ローラ１０６との意図しない接触が生じることになる。そして、このような接触が生じると、インクの層の平坦化を適切に行えなくなる場合がある。より具体的には、例えば硬化済のインクが削れ、余分な削りカス等が発生する場合がある。また、接触により平坦化ローラ１０６が振動し、平坦化の動作に影響が生じること等も考えられる。そして、これらの結果、高い精度で適切に平坦化を行うことが困難になる場合がある。
【００６６】
これに対し、本例においては、各回のパスで吐出するインクの量の設定を調整することにより、このような問題の発生を抑えている。そこで、以下、本例において各回のパスで吐出するインクの量の設定について、説明をする。
【００６７】
図３は、各回のパスで吐出するインクの量の設定について説明をする図である。図３（ａ）は、各回のパスで吐出するインクの量の設定の一例を示す図であり、従来の構成における設定である設定Ａと、本例における設定である設定Ｂとを比較して示す。図３（ｂ）は、設定Ｂでの設定値をインクジェットヘッド１０２における領域２０２ａ〜ｄと対応付けて示す。
【００６８】
従来の構成のマルチパス方式で造形を行う場合、通常、各回のパスで吐出するインクの量は、全てのパスで同じに設定する。そのため、例えばパス数を４にする場合において、全てのパスで吐出するインクの量の合計を１００％とした場合、各回のパスで吐出するインクの量（吐出率）は、図中に設定Ａとして示すように、２５％になる。この場合、２５％の吐出量は、パス数に応じて設定される最大の吐出量と考えることができる。パス数に応じて設定される最大の吐出量とは、例えば、１００％をパス数で除した割合の吐出量のことである。また、この場合、１００％のインクの量とは、例えば、積層方向と直交する面内において、造形の解像度に対応する全ての点に所定量（例えば、１ドット分）のインクを吐出した場合のインクの量である。
【００６９】
また、この場合、各回のパスが完了した時点でのインクの層の厚さは、完了したパス数にほぼ比例して高くなる。より具体的には、例えば、４回のパスで４０μｍの厚さ分に相当するインクを吐出する場合、各回のパスでインクを吐出する毎に、インクの層の厚さは、１０μｍずつ大きくなる。すなわち、この場合、１回のパス分のインクの厚みが１０μｍになっていると考えることができる。
【００７０】
また、この場合、全てのパスが完了した時点でのインクの層の厚さは、平坦化により、４０μｍよりも小さくなる。より具体的には、例えば、最後のパスにおいて吐出したインクの一部を平坦化ローラにより除去することで、平坦化後のインクの層に厚さについて、３５μｍ程度にすることが考えられる。しかし、この場合、上記においても説明をしたように、硬化済のインクのドットと平坦化ローラ１０６との接触が生じ、高い精度で適切に平坦化を行うことが困難になる場合がある。
【００７１】
これに対し、本例においては、各回のパスで吐出するインクの量を全てのパスで同じに設定するのではなく、図中に設定Ｂとして示すように、最後のパス以外のパスで吐出するインクの量を最後のパスで吐出するインクの量よりも少なくする。より具体的には、例えば、最後のパスで吐出するインクの量について、設定Ａの場合と同じに設定する。この場合、設定Ａで吐出するインクの量の合計を上記のように１００％と考えると、設計Ｂの最後のパスで吐出するインクの量も、２５％になる。
【００７２】
また、この場合、最後以外のパスで吐出するインクの量については、２５％よりも少ない量に設定する。例えば、図示した設計Ｂの場合、最後のパス以外のパスで吐出するインクの量について、２０％に設定する。
【００７３】
尚、図２を用いて説明をしたようにマルチパス方式の動作を行う場合、ヘッド部１２における領域２０２ａ〜ｄから各回の主走査動作で吐出するインクの量を図３（ｂ）に示すことで、各回のパスで吐出するインクの量を上記のように設定できる。また、この場合、例えば、領域２０２ａ〜ｄのそれぞれにおける各ノズルからインクを吐出する位置の比率（デューティ）を調整することにより、領域２０２ａ〜ｄのそれぞれから吐出するインクの量の制御（吐出量制御）を行うことができる。また、上記のようにインクの量を設定した場合、設定Ｂにおいて全てのパスで吐出するインクの量の合計は、１００％未満になる。これは、インクの量について、設定Ａで吐出するインクの量の合計を１００％とした場合の相対的な量を考えているためである。そのため、インクの層を形成するために十分な量のインクを吐出できれば、合計のインクの量は、１００％未満であってもよい。
【００７４】
また、設定Ｂにおいて、最後のパス以外のパスで吐出するインクの量は、２０％以外の量であってもよい。この場合、例えば、最後のパスで吐出するインクの量の１／５〜４／５（上記の１００％に対して５〜２０％になる量）程度にすることが考えられる。また、最後のパス以外のパスにおいて、ドット間の接触等をより適切に防ぐためには、インクの量について、２０％よりも少なくすることがより好ましいとも考えられる。この場合、最後のパス以外のパスで吐出するインクの量について、最後のパスで吐出するインクの量の２／５〜３／５（上記の１００％に対して１０〜１５％になる量）程度にすることが好ましい。また、更に具体的に、例えば、最後のパス以外のパスで吐出するインクの量について、最後のパスで吐出するインクの量の２／５程度（上記の１００％に対して１０％程度になる量）にすること等が考えられる。
【００７５】
また、設定Ａ及び設定Ｂにおいて、２５％の吐出量は、インクジェットヘッドの吐出能力において、１回のパスで吐出可能な最大の吐出量（フル吐出量）になっている。すなわち、この場合、１回のパスでの吐出量について、２５％よりも大きくすることはできない。そのため、設定Ｂにおいては、最後のパスにおいて、インクの吐出量をフル吐出量にすることで、できるだけ多くのインクを吐出している。また、最後のパス以外のパスでのインクの吐出量を２５％よりも小さくすることで、最後のパス以外のパスでの吐出量を少なくしている。
【００７６】
また、設定Ｂのように各回のパスでのインクの吐出量を設定した場合、各回のパスが完了した時点でのインクの層の厚さは、その回のパスで吐出したインクの量に応じた分だけ変化する。より具体的に、図３（ａ）に示すように、設定Ｂにおいて、吐出するインクの量が少ない１〜３回目のパスでは、各回のパスでインクを吐出する毎に、インクの層の厚さは、８μｍずつ大きくなる。また、この場合、最後の４回目のパスにおいて、インクの層の厚さは、１０μｍ大きくなる。そのため、この場合、合計で、３４μｍの厚さ分に相当するインクを吐出することになる。
【００７７】
また、この場合も、全てのパスが完了した時点でのインクの層の厚さは、平坦化により、３４μｍよりも小さくなる。より具体的には、例えば、最後のパスにおいて、吐出したインクの一部を平坦化ローラにより除去することで、平坦化後のインクの層に厚さについて、３０μｍ程度にすることが考えられる。
【００７８】
ここで、例えば従来の構成のマルチパス方式で造形を行う場合において、インクの層の一部で高さのずれが生じる現象は、インクのドットを高い密度で形成することで生じていると考えられる。より具体的には、例えば、造形物の被造形面において、同じ回の主走査動作時に形成されるインクのドットの間隔が小さいと、ドット間の接触等が生じやすくなる。また、ドット間の接触等が生じると、硬化後のインクの層において、状態の乱れが生じやすくなる。また、ドットの間隔が小さい場合、隣接するドットの位置のわずかなずれが硬化後の状態に影響しやすくなる。更には、ドットの間隔が小さいと、インクジェットヘッドの吐出特性おけるバラツキ（吐出特性の癖）の影響も生じやくなる。また、この場合、高密度でインクの吐出を行うため、吐出から着弾までの飛翔中において、近接して飛翔するインク（インク滴）の影響を受けて、飛行曲がりが生じやすくなる場合もある。また、その結果、着弾位置のずれが生じ、硬化後のインクの層において、状態の乱れが生じることも考えられる。
【００７９】
これに対し、本例においては、上記において説明をした設定Ｂのように、１〜３回目のパスにおいて、吐出するインクの量を少なくする。このように構成すれば、例えば、１〜３回目のパスにおいて、ドット間の接触等を生じ難くできる。また、これにより、例えば、インクの層において３回目のパスまでに形成する部分をより高い精度で適切に形成できる。また、この場合、インクのドットを離散的に形成することにより、例えば設計上の状態と同じようなマット状の状態で、それぞれのドットをより適切に形成できる。また、ドットを離散的に形成する場合、着弾位置がよりランダムに分散するため、ムラ等を発生し難くできる。また、これにより、平坦化を行う最後のパス以外の各回のパスで形成する部分について、より高い精度でより一様に適切に形成できる。
【００８０】
また、この場合、最後のパス以外のパスで形成する部分について、平坦化を行うパスの前に形成する下地の部分と考えることもできる。この場合、例えば、このような下地の部分について、より高い精度でより一様に形成することができるともいえる。また、この場合、このような下地の上に最後のパスでインクを吐出することで、最後のパスで吐出するインクについて、着弾後の広がり方をより均一にすることができる。また、そのような状態で平坦化を行うことにより、インクの層を高い精度でより適切に形成できる。
【００８１】
また、この場合、下地の部分について、局所的に高くなる部分等が生じ難い状態を実現することもできる。そのため、このように構成すれば、例えば、硬化済のインクのドットと平坦化ローラ１０６（図１参照）との接触が生じることを適切に防ぐこともできる。
【００８２】
尚、各回のパスでのドット間の接触等を防ぐ観点で考えた場合、例えば最後のパスでもインクの吐出量を減らし、全てのパスで吐出するインクの量を少なくすればよいようにも思われる。しかし、平坦化を行う最後のパスでの吐出量まで少なくした場合、平坦化時にかき取れるインクの量が少なくなり、平坦化の動作を適切に行えなくなるおそれもある。また、平坦化時の平坦化ローラ１０６の調整について、余裕度（マージン）が少なくなること等も考えられる。また、全てのパスで吐出するインクの量を少なくした場合、全てのパスで吐出するインクの量の合計が大幅に減り、造形に要する時間が大きく増大すること等も考えられる。
【００８３】
これに対し、本例においては、平坦化を行う最後のパスでの吐出量をそれ以前のパスよりも多くすることにより、例えば設定Ａの場合と同様に、最後のパスで形成する部分の厚みを適切かつ十分に確保することができる。また、これにより、例えば、高い精度で適切に平坦化を行うことが可能になる。また、最後のパスでより多くのインクを吐出することにより、全てのパスで吐出するインクの量の合計が大幅に減ることを防ぐこともできる。そのため、本例によれば、例えば、適切に平坦化を行いつつ、インクの層を高い精度でより適切に形成できる。
【００８４】
尚、この場合、平坦化時に除去するインクの量は、例えば設定Ａのようにインクを吐出する場合と異ならせてもよい。例えば、平坦化の動作の余裕度を確保できる範囲で、平坦化時に除去するインクの量を少なくしてもよい。より具体的に、図３（ａ）の設定Ｂの場合、平坦化時に除去するインクの量に対応する厚みは４μｍであり、設定Ａの場合の５μｍよりも少なくなっている。
【００８５】
また、求められる造形の精度や、造形装置１０（図１参照）の構成によっては、１〜３回目のパスで吐出するインクの量を設定Ｂよりも少し多くし、かつ、平坦化時に除去するインクの量をより少なくすることで、平坦化後の厚さを設定Ａと同じにすること等も考えられる。この場合、例えば、４回のパスの合計で３８μｍ程度の厚さ分に相当するインクを吐出して、平坦化後の厚さを３５μｍにすること等が考えられる。このように構成すれば、例えば、造形の速度を低下させることなく、それぞれのインクの層を高い精度で適切に形成できる。
【００８６】
続いて、本例の特徴に関する補足説明等を行う。上記のように、本例においては、一つのインクの層を形成するために行う４回のパスのうち、１〜３回目のパスでのインクの吐出量を、４回目のパスよりも少なくする。また、このような特徴について、より一般化して考えた場合、各回のパスで吐出するインクの量の比較について、インクの単位面積吐出量を比較することで考えることもできる。この場合、単位面積吐出量とは、例えば、造形の材料となるインクを吐出すべき領域に対して一回の主走査動作で単位面積あたりに吐出するインクの量のことである。また、単位面積あたりに吐出するインクの量とは、例えば、ヘッド部１２における複数のインクジェットヘッドから吐出するインクの量の合計である。
【００８７】
また、この場合、本例において行うインクの量の設定について、例えば、造形物の被造形面における各位置に対して行う複数回の主走査動作のうち、一部の回の主走査動作における単位面積吐出量を、他の回の主走査動作における単位面積吐出量よりも少なくする構成と考えることもできる。このように構成した場合、例えば、一部の回の主走査動作において単位面積吐出量を少なくすることにより、ドットの連結等を生じ難くできる。また、ドット間の接触がある程度生じた場合にも、接触の影響を低減できる。そのため、このように構成した場合、例えば、単位面積吐出量を少なくした主走査動作を行うことで、造形物の被造形面の状態を適切に整えることができる。また、被造形面の状態が整えられているタイミングで他の回の主走査動作を行うことで、単位面積吐出量を多くした場合にも、層の状態の乱れを生じ難くできる。そのため、このように構成すれば、例えば、インクの層を高い精度でより適切に形成できる。また、この構成については、全ての主走査動作でインクの吐出量を多くするのではなく、インクの吐出量を少なくした主走査動作を間に含めることで、状態が乱れた部分が積層方向へ連続して重なることを防ぐ構成と考えることもできる。
【００８８】
また、この場合、マルチパス方式の動作において、少なくとも一部のインクの層の形成時において、一つのインクの層を形成するために行う複数回のパスのうち、一部の回のパスにおける単位面積吐出量を、他の回のパスにおける単位面積吐出量よりも少なくすることが好ましいといえる。このように構成すれば、例えば、それぞれのインクの層について、状態の乱れを抑えて、高い精度でより適切に形成できる。
【００８９】
また、この場合、上記においても説明をしたように、平坦化を行うパスにおける単位面積吐出量を十分に多くすることが好ましい。従って、少なくとも一部のインクの層の形成時において、インクの層を形成するために行う複数回のパスのうちの最後のパスにおける単位面積吐出量について、他の回のパスにおける単位面積吐出量よりも多くすることが好ましいといえる。このように構成すれば、例えば、平坦化の動作をより適切に行うことができる。
【００９０】
また、この場合、最後のパスにおける単位面積吐出量について、他のいずれの回のパスにおける単位面積吐出量よりも多くすることが好ましい。また、少なくとも、平坦化を行った直後に行うパスでは、単位面積吐出量を少なくすることが好ましい。従って、少なくとも一部のインクの層の形成時において、インクの層を形成するために行う複数回のパスのうちの最初のパスにおける単位面積吐出量を、最後のパスにおける単位面積吐出量よりも少なくすることが好ましいといえる。このように構成すれば、例えば、平坦化がされた被造形面上に最初に形成するインクのドットについて、高い精度でより適切に形成できる。また、これにより、その後のパスで形成する部分についても、状態の乱れをより生じ難くできる。
【００９１】
また、この場合、最後のパス以外の他の回のパスについて、例えば図３（ａ）において設定Ｂとして示した場合のように、単位面積吐出量を同じにすることが考えられる。この場合、単位面積吐出量が同じであるとは、例えば、造形の精度等に応じて、実質的に同じであることである。このように構成すれば、例えば、より簡易な制御により、最後以外のパスでのインクの吐出量を適切に設定できる。
【００９２】
また、造形装置１０の構成の変形例においては、一つのインクの層を形成するために行う複数回のパスについて、パス毎に単位面積吐出量を異ならせてもよい。この場合、例えば、先に行う主走査動作における単位面積吐出量を、後に行う主走査動作における単位面積吐出よりも少なくすることが考えられる。このように構成した場合も、高い精度でインクの層を適切に形成できる。
【００９３】
以上のように、本例によれば、例えば、全てのパスで吐出量を多くするのではなく、一部のパスであえて吐出量を少なくすることで、造形物を構成するインクの層として、状態の乱れの少ない安定した層をより適切に形成できる。また、これにより、例えば、硬化済のインクと平坦化ローラとの接触等を防ぐこともできる。
【００９４】
尚、上記においても説明をしたように、本例においては、それぞれのインクの層の形成時において、最後のパス以外のパスでフル吐出を行わず、吐出するインクの量を少なくしている。そして、この場合、全てのパスでフル吐出を行う場合と比べ、例えば平坦化時に除去するインクの量が同程度であれば、形成されるインクの層は薄くなる。また、その結果、造形に要する時間もある程度増大することになる。そのため、本例の構成については、例えば、造形速度を低下させる代わりにより高い精度で造形を行う構成と考えることもできる。また、この場合、造形装置１０（図１参照）において、造形速度を優先する造形のモードと、造形の精度を優先する造形のモードとを選択可能にしてもよい。この場合、造形速度を優先する造形のモードでは、例えば、全てのパスでフル吐出を行って、造形物を造形する。また、造形の精度を優先する造形のモードでは、それぞれのインクの層の形成時において、例えば、最後のパスのみでフル吐出を行って、造形物を造形する。
【００９５】
続いて、マルチパス方式の動作についての変形例を説明する。上記においては、マルチパス方式の動作について、図２等を用いて、主に、インクジェットヘッドのノズル列長をパス数で除した距離を副走査動作での送り量に設定する場合について、説明をした。しかし、マルチパス方式の動作については、上記において説明をした以外の動作を用いてもよい。より具体的には、例えば、パス数分の主走査動作を行う間の副走査動作における送り量を小さなピッチに設定する方式である小ピッチマルチパス方式の動作を用いること等も考えられる。
【００９６】
図４は、小ピッチマルチパス方式の動作の一例を示す図であり、パス数を４（４パス）にした場合の動作の一例を示す。尚、以下に説明をする点を除き、図４において、図１〜３と同じ符号を付した構成は、図１〜３における構成と、同一又は同様の特徴を有してよい。
【００９７】
４パスでの小ピッチマルチパス方式の動作を行う場合、図中に示すように、一つのインクの層の形成時において、各位置に対してパス数分である４回の主走査動作（パス）を行う。また、この場合、矢印４０２で示すように、インクジェットヘッド１０２の全体に対応する領域に対して同時に、１〜４パス目の主走査動作を行う。また、１〜４パス目の各回の主走査動作の合間において、小さなピッチの送り量での副走査動作を行う。
【００９８】
この場合、小さなピッチとは、例えば、インクジェットヘッド１０２のノズル列長をパス数で除した距離よりも小さな距離である。また、より具体的に、この小さなピッチについては、例えば、インクジェットヘッドのノズル列におけるノズル間隔（ノズルピッチ）の数倍程度以下（例えば、ノズル間隔の１０倍以下）にすること等が考えられる。また、この小さなピッチは、例えば、ノズル間隔未満の距離（例えば、ノズル間隔の１／２）であってもよい。また、この小さなピッチについて、ノズルピッチの整数倍（例えば、ノズルピッチの１〜１０倍）と、ノズル間隔未満の距離（例えば、ノズル間隔の１／２）とを足した距離に設定すること等も考えられる。
【００９９】
また、小ピッチマルチパス方式において、パス数分の主走査動作を行った後には、必要に応じて、より大きな送り量での副走査動作を行う。より具体的には、例えば、造形しようとする造形物の副走査方向における幅がインクジェットヘッドのノズル列長よりも大きい場合に、このような大きな送り量での副走査動作を行うことが考えられる。
【０１００】
また、大きな送り量での副走査動作では、例えば、直前にパス数分の主走査動作を行った位置から副走査方向におけるインクジェットヘッド１０２の位置をノズル列長分だけずらすように、送り量を設定する。この場合、例えば、直前に行ったパス数分の主走査動作における１パス目以降に行った副走査動作での送り量の合計がノズル列長と等しくなるように、大きな送り量を設定することが考えられる。直前に行ったパス数分の主走査動作における１パス目とは、前回の大きな送り量での副走査動作の直後に行った主走査動作のことである。また、大きな送り量の設定については、例えば、造形物に対する副走査方向における相対位置について、前回の１パス目におけるインクジェットヘッドの位置と、次に行う１パス目におけるインクジェットヘッドの位置との差がノズル列長と等しくなるように設定すると考えることもできる。
【０１０１】
以上のように構成した場合も、例えば、マルチパス方式での造形を適切に行うことができる。また、この場合、各回のパスでのインクの吐出量については、インクジェットヘッドのノズル列の領域毎に設定するのではなく、ノズル列の全体に対して共通に設定することができる。より具体的には、例えば、１〜３パス目において、ノズル列の全体に対してインクの吐出量を小さく設定して、最後の４パス目において、ノズル列の全体に対してインクの吐出量をより大きく設定することが考えられる。このように構成すれば、例えば、小ピッチマルチパス方式の動作において、各回のパスでのインクの吐出量を適切に設定できる。また、この場合、ノズル列の全体に対して共通に吐出量を設定することにより、例えば、ノズルの使用率をより均等にすること等もできる。
【産業上の利用可能性】
【０１０２】
本発明は、例えば、造形装置に好適に利用できる。
【符号の説明】
【０１０３】
１０・・・造形装置、１２・・・ヘッド部、１４・・・造形台、１６・・・主走査駆動部、１８・・・副走査駆動部、２０・・・積層方向駆動部、３０・・・制御部、５０・・・造形物、５２・・・サポート層、６０・・・層、１０２・・・インクジェットヘッド、１０４・・・紫外線光源、１０６・・・平坦化ローラ、２０２・・・領域、３０２・・・ドット、４０２・・・矢印
【図１】
2018034423.tif 000003
【図２】
2018034423.tif 000004
【図３】
2018034423.tif 000005
【図４】
2018034423.tif 000006